(57)【要約】【課題】１つの撮像素子を用いて、撮像画像の生成および位相差検出方式による焦点検出の両方を行うこと。【解決手段】撮像素子１２は、二次元状に配置された複数の第１の光電変換部３２と、光の入射方向から見て、第１の光電変換部３２の横に配置された複数のマイクロレンズ３４と、二次元状に配置され、マイクロレンズ３４を透過した光を受光する複数の第２の光電変換部３５と、を備える。【選択図】図２
2014215526.tif 000002
【特許請求の範囲】
【請求項１】
二次元状に配置された複数の第１の光電変換部と、
光の入射方向から見て、前記第１の光電変換部の横に配置された複数のマイクロレンズと、
二次元状に配置され、前記マイクロレンズを透過した光を受光する複数の第２の光電変換部と、
を備えることを特徴とする撮像素子。
【請求項２】
請求項１に記載の撮像素子において、
前記第２の光電変換部は、前記マイクロレンズの焦点面に配置されていることを特徴とする撮像素子。
【請求項３】
請求項１または２に記載の撮像素子において、
前記第１の光電変換部と、前記マイクロレンズとは、略同一面上に配置されていることを特徴とする撮像素子。
【請求項４】
請求項１〜３のいずれか一項に記載の撮像素子において、
透明基板をさらに備え、
前記第１の光電変換部と前記マイクロレンズとは、前記透明基板の第１の面に設けられ、
前記第２の光電変換部は、前記透明基板における前記第１の面と対向する第２の面に設けられることを特徴とする撮像素子。
【請求項５】
請求項４に記載の撮像素子において、
前記透明基板の厚さは、前記マイクロレンズの焦点距離と略同一の厚さで構成されることを特徴とする撮像素子。
【請求項６】
請求項１〜５のいずれか一項に記載の撮像素子において、
前記マイクロレンズと前記第２の光電変換部との間には、カラーフィルタが設けられていないことを特徴とする撮像素子。
【請求項７】
透明基板と、
前記透明基板の第１の面に配置された複数の第１の光電変換部と、
前記透明基板の前記第１の面に配置された複数のマイクロレンズと、
前記透明基板における前記第１の面と対向する第２の面に配置され、前記マイクロレンズを透過した光を受光する複数の第２の光電変換部と、
を備えることを特徴とする撮像素子。
【請求項８】
結像光学系と、
請求項１〜７のいずれか一項に記載の撮像素子と、
前記第１の光電変換部からの出力信号に基づいて、画像データを生成する第１の画像生成手段と、
前記第２の光電変換部からの出力信号に基づいて、前記結像光学系の焦点調節状態を位相差検出方式により検出する焦点検出手段と、
を備えることを特徴とするカメラ。
【請求項９】
請求項８に記載のカメラにおいて、
前記第２の光電変換部からの出力信号に基づいて、前記結像光学系の任意の像面における像の画像データを生成する第２の画像生成手段をさらに備えることを特徴とするカメラ。
【発明の詳細な説明】
【技術分野】
【０００１】
本発明は、撮像素子およびカメラに関する。
【背景技術】
【０００２】
位相差検出方式による焦点検出を行うカメラが知られている（特許文献１参照）。このカメラでは、画像用撮像素子とは、別に配置された焦点検出専用の撮像素子を用いて、焦点検出を行う。
【先行技術文献】
【特許文献】
【０００３】
【特許文献１】特開２００７−１１０７０号公報
【発明の概要】
【発明が解決しようとする課題】
【０００４】
従来技術のように、画像用撮像素子と焦点検出専用の撮像素子とを別々に設ける場合、それぞれの位置調整が必要になってしまう。したがって、１つの撮像素子を用いて、撮像画像の生成および位相差検出方式による焦点検出の両方を行えることが求められている。
【課題を解決するための手段】
【０００５】
（１）請求項１に記載の発明による撮像素子は、二次元状に配置された複数の第１の光電変換部と、光の入射方向から見て、第１の光電変換部の横に配置された複数のマイクロレンズと、二次元状に配置され、マイクロレンズを透過した光を受光する複数の第２の光電変換部と、を備えることを特徴とする。
（２）請求項７に記載の発明による撮像素子は、透明基板と、透明基板の第１の面に配置された複数の第１の光電変換部と、透明基板の第１の面に配置された複数のマイクロレンズと、透明基板における第１の面と対向する第２の面に配置され、マイクロレンズを透過した光を受光する複数の第２の光電変換部と、を備えることを特徴とする。
（３）請求項８に記載の発明によるカメラは、結像光学系と、請求項１〜７のいずれか一項に記載の撮像素子と、第１の光電変換部からの出力信号に基づいて、画像データを生成する第１の画像生成手段と、第２の光電変換部からの出力信号に基づいて、結像光学系の焦点調節状態を位相差検出方式により検出する焦点検出手段と、を備えることを特徴とする。
【発明の効果】
【０００６】
本発明によれば、１つの撮像素子を用いて、撮像画像の生成および位相差検出方式による焦点検出の両方を行うことができる。
【図面の簡単な説明】
【０００７】
【図１】本発明の実施の形態によるデジタルカメラの構成を例示する図である。
【図２】撮像素子の断面の構成を例示する図である。
【図３】撮像素子の上面の構成を例示する図である。
【図４】撮像素子の下面の構成を例示する図である。
【図５】第２の画像生成処理を説明するための図である。
【図６】変形例１における撮像素子の上面の構成を例示する図である。
【発明を実施するための形態】
【０００８】
以下、図面を参照して本発明を実施するための形態について説明する。図１は、本発明の一実施の形態によるデジタルカメラの構成を例示する図である。デジタルカメラ１は、交換レンズ２とカメラボディ３から構成される。交換レンズ２は、マウント部４を介してカメラボディ３に装着される。
【０００９】
交換レンズ２は、レンズ制御部５、主レンズ９、ズームレンズ８、フォーカシングレンズ７、および絞り６を含む。主レンズ９、ズームレンズ８、およびフォーカシングレンズ７は、結像光学系を構成する。レンズ制御部５は、マイクロコンピュータとメモリなどで構成され、フォーカシングレンズ７と絞り６の駆動制御、絞り６の開口状態の検出、ズームレンズ８およびフォーカシングレンズ７の位置検出、後述するカメラボディ３側のボディ制御部１４に対するレンズ情報の送信、ボディ制御部１４からのカメラ情報の受信などを行う。
【００１０】
カメラボディ３は、撮像素子１２、撮像素子駆動制御部１９、ボディ制御部１４、液晶表示素子駆動回路１５、液晶表示素子１６、接眼レンズ１７、および操作部材１８などを含み、着脱可能なメモリカード２０が装着されている。撮像素子１２は、交換レンズ２の予定焦点面に配置されて交換レンズ２により結像される被写体像を撮像する。
【００１１】
ボディ制御部１４は、マイクロコンピュータとメモリなどで構成される。ボディ制御部１４は、デジタルカメラ全体の動作制御を行う。ボディ制御部１４とレンズ制御部５は、マウント部４の電気接点部１３を介して通信を行うように構成される。
【００１２】
撮像素子駆動制御部１９は、ボディ制御部１４からの指示に応じて撮像素子１２で必要な制御信号を生成する。液晶表示素子駆動回路１５は、ボディ制御部１４からの指示に応じて液晶ビューファインダー（ＥＶＦ：電子ビューファインダー）を構成する液晶表示素子１６を駆動する。撮影者は、接眼レンズ１７を介して液晶表示素子１６に表示された像を観察する。メモリカード２０は、画像データなどを格納記憶する記憶媒体である。
【００１３】
交換レンズ２によって撮像素子１２上に結像された被写体像は、撮像素子１２によって光電変換される。撮像素子１２は、撮像素子駆動制御部１９からの制御信号によって光電変換信号の蓄積および信号読出しのタイミング（フレームレート）が制御される。撮像素子１２からの出力信号は、不図示のＡ／Ｄ変換部でデジタルデータに変換され、ボディ制御部１４へ送られる。
【００１４】
ボディ制御部１４は、撮像素子１２からの所定の焦点検出エリアに対応する出力信号に基づいてデフォーカス量を算出し、このデフォーカス量をレンズ制御部５へ送る。レンズ制御部５は、ボディ制御部１４から受信したデフォーカス量に基づいてフォーカシングレンズ駆動量を算出し、このレンズ駆動量に基づいてフォーカシングレンズ７を不図示のモーター等で駆動して合焦位置へ移動させる。
【００１５】
また、ボディ制御部１４は、撮影指示後に撮像素子１２から出力された信号に基づいて記録用の画像データを生成する。ボディ制御部１４は、生成した画像データをメモリカード２０に格納するとともに液晶表示素子駆動回路１５へ送り、液晶表示素子１６に再生表示させる。
【００１６】
なお、カメラボディ３にはシャッターボタン、焦点検出エリアの設定部材などを含む操作部材１８が設けられている。ボディ制御部１４は、これらの操作部材１８からの操作信号を検出し、検出結果に応じた動作（撮影処理、焦点検出エリアの設定など）の制御を行う。
【００１７】
＜撮像素子の説明＞
本実施形態は、撮像素子１２に特徴を有するので、以降は撮像素子１２を中心に説明する。図２は、撮像素子１２の断面の構成を例示する図である。なお、図２では、撮像素子１２の光入射側を上側とした状態を示している。このため、以下の説明では、撮像素子１２の光入射側の方向を「上方」又は「上」とし、光入射側に対して反対側の方向を「下方」又は「下」とする。撮像素子１２は、透明基板（ＳｉＯ２基板）３１を有し、透明基板３１の上面が交換レンズ２の予定焦点面に位置するように配置されている。
【００１８】
透明基板３１の上面には、複数の光電変換部（フォトダイオード）３２が配置されている。以下、透明基板３１の上面に配置された光電変換部３２を、上側光電変換部３２と呼ぶ。各上側光電変換部３２の下側には配線層３３が配置され、各上側光電変換部３２の上側にはカラーフィルタ（不図示）が配置されている。
【００１９】
また、透明基板３１の上面には、複数のマイクロレンズ３４が配置されている。マイクロレンズ３４は、例えば凸レンズでなり、複数の上側光電変換部３２の間に挟まれるようにして配置されている。すなわち、マイクロレンズ３４は、光の入射方向から見て、上側光電変換部３２の横に配置されており、マイクロレンズ３４と上側光電変換部３２とは、光の入射方向から見て、互いに重ならないように配置されている。また、透明基板３１の厚さは、マイクロレンズ３４の焦点距離と略同一の厚さで構成されている。したがって、透明基板３１の下面がマイクロレンズ３４の焦点面と略一致している。
【００２０】
透明基板３１の下面には、複数の光電変換部（フォトダイオード）３５が配置されている。以下、透明基板３１の下面に配置された光電変換部３５を、下側光電変換部３５と呼ぶ。各下側光電変換部３５の下側には配線層３６が配置されている。各マイクロレンズ３４の間に入射した光束は、透明基板３１の上面の上側光電変換部３２および配線層３３によって遮られるため、下側光電変換部３５には入射しないようになっている。そのため、下側光電変換部３５は、マイクロレンズ３４を透過した光束のみを受光できるようになっている。また、下側光電変換部３５は、透明基板３１の下面上において、マイクロレンズ３４を垂直に投影した範囲だけでなく、上側光電変換部３２を垂直に投影した範囲にも配置することができるので、受光面積を広くすることができる。また、複数の上側光電変換部３２に挟まれている分、各マイクロレンズ３４同士の間隔が空いているので、透明基板３１の下面において、交換レンズ２からの光束がマイクロレンズ３４の口径よりも大きく広がる場合にも、隣接するマイクロレンズ３４同士における透過光束の重複（クロストーク）を防止することができる。
【００２１】
図３は、撮像素子１２における透明基板３１の上面の構成を例示する平面図である。ここでは、代表して８×８画素分を抜き出して図示している。透明基板３１の上面における画素は、上側光電変換部３２とカラーフィルタとで構成されている。具体的に、透明基板３１の上面には、赤（Ｒ）成分の光を光電変換する画素（Ｒ画素）、緑（Ｇ）成分の光を光電変換する画素（Ｇ画素）、青（Ｂ）成分の光を光電変換する画素（Ｂ画素）の３種類が設けられている。Ｒ画素は、赤色成分の光のみを透過させるカラーフィルタと、該カラーフィルタの背後に配置された上側光電変換部３２とから構成されている。Ｇ画素は、緑色成分の光のみを透過させるカラーフィルタと、該カラーフィルタの背後に配置された上側光電変換部３２とから構成されている。Ｂ画素は、青色成分の光のみを透過させるカラーフィルタと、該カラーフィルタの背後に配置された上側光電変換部３２とから構成されている。これらのＲ画素、Ｇ画素、およびＢ画素は、ベイヤー配列で配置されている。
【００２２】
また、各画素は、略正方形状の一角が四分円形状に切りかかれた形状にレイアウトされている。左上がＢ画素、右上および左下がＧ画素、右下がＲ画素である４画素を１組とすると、これら１組の画素群の中央が円形に繰り抜かれた形状となっており、上述したマイクロレンズ３４が配置されている。すなわち、マイクロレンズ３４は、上がＢ画素、右上および左下がＧ画素、右下がＲ画素である４画素から構成される１組に対して、１つずつ設けられている。なお、マイクロレンズ３４の開口部の大きさを調整することで、透明基板３１の上面における各画素の受光面積を適宜調節することができる。
【００２３】
図４は、撮像素子１２における透明基板３１の下面の構成を例示する平面図である。ここでは、代表して４０×４０個の下側光電変換部３５を抜き出して図示している。各下側光電変換部３５は、略正方形状にレイアウトされ、２次元状に配列されている。また、図４には、透明基板３１の上面に配置されているマイクロレンズ３４を透明基板３１の下面に垂直に投影した範囲を点線で示している。図４に示すように、各マイクロレンズ３４の背後には、複数の下側光電変換部３５が配置されており、１つのマイクロレンズ３４に対して１０×１０個の下側光電変換部３５が設けられている。なお、１つのマイクロレンズ３４に対して設けられる下側光電変換部３５の数は、この本実施の形態の数に限定されない。また、本実施形態では、マイクロレンズ３４と下側光電変換部３５との間にはカラーフィルタが設けられていない。
【００２４】
ところで、本実施形態のデジタルカメラ１では、撮像素子１２を用いて、通常のカメラとしての機能を実現することもできるし、１回の撮影で得られたデータから撮影後に任意の距離にピントの合った画像を生成できるライトフィールドカメラとしての機能を実現することもできる。以下、これらの機能について説明する。
【００２５】
＜通常のカメラ機能＞
まず、撮像素子１２を用いて、通常のカメラ機能を実現する場合について説明する。この場合、ボディ制御部１４は、撮像素子１２の下側光電変換部３５からの出力信号を用いて、交換レンズ２の焦点調節状態を検出する焦点検出処理を行い、交換レンズ２のピントを合わせる。そして、ボディ制御部１４は、撮像素子１２の上側光電変換部３２からの出力信号を用いて通常の撮影画像データを生成する第１の画像生成処理を行う。
【００２６】
まず、焦点検出処理について説明する。本実施形態の焦点検出処理は、撮像素子１２の下側光電変換部３５からの出力信号を用いて、瞳分割型位相差検出方式により行われる。
【００２７】
上述したように、撮像素子１２では、各マイクロレンズ３４の焦点面に、複数の下側光電変換部３５が設けられている。各マイクロレンズ３４に対応する下側光電変換部３５は、各マイクロレンズ３４によって交換レンズ２の射出瞳上に投影される。交換レンズ２の射出瞳面の異なる領域を通過した光束は、各マイクロレンズ３４を介して異なる下側光電変換部３５へそれぞれ導かれる。例えば、交換レンズ２の射出瞳面の縦方向の一対の領域を通過した光束は、一対の縦方向の下側光電変換部３５の列に導かれる。したがって、この一対の縦方向の下側光電変換部３５の列からの出力に基づいて、この一対の光束による被写体像の位置ずれ量を検出し、この位置ずれ量に基づいて交換レンズ２のデフォーカス量を検出できる。なお、瞳分割型位相差検出方式によるデフォーカス量の演算方法は、周知であるため、詳細の説明は省略する。
【００２８】
また、各マイクロレンズ３４では、複数の下側光電変換部３５が２次元マトリクス状に配置されているため、横方向および斜め方向についても一対の光束による被写体像の位置ずれ量を検出してデフォーカス量を検出できる。
【００２９】
さらに、マイクロレンズ３４は、撮像素子１２における透明基板３１の上面全体に散らばって配置されているため、撮影画面の全体に亘ってデフォーカス量を検出することができる。
【００３０】
次に、第１の画像生成処理について説明する。上述したように、透明基板３１の上面は、交換レンズ２の予定焦点面に配置されており、透明基板３１の上面には、交換レンズ２による被写体像が結像される。透明基板３１の上面に配置された上側光電変換部３２は、この交換レンズ２により結像された被写体像を撮像する。また、透明基板３１の上面の画素（上側光電変換部３２により構成される画素）は、ベイヤー配列で配置されている。したがって、第１の画像生成処理において、ボディ制御部１４は、撮像素子１２における上側光電変換部３２の出力信号からベイヤー配列の画像信号を取得する。
【００３１】
ボディ制御部１４は、取得したベイヤー配列の画像信号において、各画素で不足する色成分を隣接する画素からの信号を用いて補間処理によって生成する。たとえば、Ｇ画素の場合、Ｒ画像信号およびＢ画像信号が存在しないので、周辺の画素の信号を用いて色補間処理を行う。このようなベイヤー配列における色補間処理は周知であるので、詳細な説明は省略する。ボディ制御部１４は、この色補間処理によって、透明基板３１の上面に配置された画素数でなるカラー画像データ（ＲＧＢ）を生成する。ボディ制御部１４は、このようにして得られたカラー画像データを用いて、例えば、記録用画像のファイルを生成し、メモリカード２０に記録する。
【００３２】
本実施形態の撮像素子１２は、撮像面の一部に焦点検出専用の画素を配置した撮像素子とは異なり、撮像用の画素（上側光電変換部３２で構成される画素）の抜けがない。そのため、第１の画像生成処理において、撮像用の画素の抜けを補間する補間処理を行う必要がないので、補間処理による画質の低下がなく、且つ簡易な処理で撮像画像を生成することができる。
【００３３】
＜ライトフィールドカメラ機能＞
次に、撮像素子１２を用いて、ライトフィールドカメラ機能を実現する場合について説明する。この場合、ボディ制御部１４は、撮像素子１２の下側光電変換部３５からの出力信号を用いて、任意の距離にピントの合った画像を生成する第２の画像生成処理を行う。本実施形態のデジタルカメラ１では、ユーザは、操作部材１８を介して、どの被写体位置（距離）にピントの合った画像を生成するのかを指定することができるようになっている。このような画像の生成方法としては、例えば、特開２００７−４４７１号公報に記載されている方法を用いる。
【００３４】
具体的に、第２の画像生成処理の原理を、図５を用いて説明する。ここでは、一例として、１つの画素が、１つのマイクロレンズ３４に対応するものとして説明する。なお、本実施形態の撮像素子１２では、上述したように１つのマイクロレンズ３４に対して１０×１０個の下側光電変換部３５が設けられているが、図５では、図示の都合上、１つのマイクロレンズ３４に対応する下側光電変換部３５の数を５個として記載している。
【００３５】
図５（ａ）は、交換レンズ２による結像面からの距離（像面のずれ量）がｈである像面ｐａにピントが合った撮像画像を生成する原理を説明する図である。図５（ａ）において、像面ｐａの像位置５０に対応する交換レンズ２からの入射光束５１〜５５は、それぞれマイクロレンズ３４を通過した後、画素７１ａ〜７１ｅの下側光電変換部ａ１，ｂ２，ｃ３，ｄ４，ｅ５においてそれぞれ受光される。したがって、下側光電変換部ａ１，ｂ２，ｃ３，ｄ４およびｅ５の出力信号を合成することで、像面ｐａの像位置５０に対応する画素７１ｃの画像信号を生成することができる。他の像位置についても同様にして出力信号を合成し、対応する画素の画像信号を生成することで、像面ｐａにピントが合った撮像画像を生成することができる。
【００３６】
また、図５（ｂ）は、交換レンズ２による結像面からの距離（像面のずれ量）が０である像面ｐｂにピントが合った撮像画像、すなわち結像面の撮像画像を生成する原理を説明する図である。図５（ｂ）において、像面ｐｂの像位置６０に対応する交換レンズ２からの入射光束６１〜６５は、それぞれマイクロレンズ３４を通過した後、画素７１ｃの下側光電変換部ｃ１，ｃ２，ｃ３，ｃ４，ｃ５においてそれぞれ受光される。したがって、下側光電変換部ｃ１，ｃ２，ｃ３，ｃ４およびｃ５の出力信号を合成することで、像面ｐｂの像位置６０に対応する画素６１ｃの画像信号を生成することができる。他の像位置についても同様にして出力信号を合成し、対応する画素の画像信号を生成することで、像面ｐｂにピントが合った撮像画像を生成することができる。
【００３７】
このようにして、ボディ制御部１４は、結像面からの距離（像面のずれ量）に応じて、下側光電変換部３５からの出力信号を適宜選択して合成し、各画素の画像信号を生成することで、任意の距離の像面にピントの合った撮像画像を生成する。
【００３８】
なお、図５（ａ），（ｂ）では、ユーザにより指定された像面の位置が結像面よりも前側（交換レンズ２に近い位置）にある場合の撮像画像の生成方法を説明したが、指定像面の位置が結像面よりも後側（交換レンズ２から遠い位置）にある場合にも、同様にして撮像画像を生成することができる。
【００３９】
以上説明した実施の形態によれば、次の作用効果が得られる。
（１）撮像素子１２は、二次元状に配置された複数の上側光電変換部３２と、光の入射方向から見て、上側光電変換部３２の横に配置された複数のマイクロレンズ３４と、二次元状に配置され、マイクロレンズ３４を透過した光を受光する複数の下側光電変換部３５と、を備える。これにより、デジタルカメラ１のボディ制御部１４は、上側光電変換部３２からの出力信号に基づいて画像データを生成することができ、下側光電変換部３５からの出力信号に基づいて、交換レンズ２の焦点調節状態を位相差検出方式により検出することができる。したがって、画像生成用の撮像素子と焦点検出用の撮像素子とを別々に設ける場合のような製造時の高度な位置合わせを必要とせず、１つの撮像素子１２の出力信号を用いて、撮像画像の生成と位相差検出方式による焦点検出とを両方行うことができる。また、デジタルカメラ１のボディ制御部１４は、下側光電変換部３５からの出力信号に基づいて、交換レンズ２の任意の像面における像の画像データを生成することもできる。したがって、１つの撮像素子１２を用いて、通常のカメラ機能を実現することもできるし、ライトフィールドカメラ機能を実現することもできる。また、従来のライトフィールドカメラで通常の撮像画像を生成する場合には、計算量が多くなってしまう。これに対して、本実施形態の撮像素子１２では、通常の撮像画像については、上側光電変換部３２からの出力信号に基づいて生成することができるので、計算量は従来の方法と同等である。
【００４０】
（２）上記（１）の撮像素子１２において、マイクロレンズ３４と下側光電変換部３５との間にはカラーフィルタが設けられていないように構成した。この場合、第２の画像生成処理により生成される撮像画像は、モノクロの画像となるが、カラーフィルタで吸収されない分、下側光電変換部３５で受光する光量が多くなるので、焦点検出処理における焦点検出精度を高めることができる。
【００４１】
（変形例１）
上述した実施の形態では、透明基板３１の上面の画素（上側光電変換部３２）が正方格子状に配置されている例について説明したが、これに限らなくてよく、例えば、ハニカム構造で配置されていてもよい。図６は、この場合の撮像素子１２における透明基板３１の上面の一例を示す図である。図６に示す撮像素子１２において、各画素（上側光電変換部３２）は、略正六角形形状を３等分した形状にレイアウトされており、１つの略正六角形は、Ｒ画素、Ｇ画素およびＢ画素がそれぞれ１個ずつの３画素で構成されている。この略正六角形を構成する３画素の組が、ハニカム構造で配置されている。また、Ｒ画素、Ｇ画素およびＢ画素は、同色の画素同士が隣接しないように配置されている。
【００４２】
各マイクロレンズ３４は、略正六角形を構成する画素の組６つに囲まれるようにして配置されている。なお、マイクロレンズ３４は、画素数に対する割合としては、６個の画素に対して、１つずつ設けられている。また、マイクロレンズ３４のみに着目すると、マイクロレンズ３４は、一列ごとに半ピッチずれて配置されている。
【００４３】
変形例１の撮像素子１２において、ボディ制御部１４は、上述した実施の形態と同様に、上側光電変換部３２からの出力信号に基づいて第１の画像生成処理を行い、カラー画像データを生成する。なお、各画素において、不足する色成分の信号については、適宜補間処理を行えばよい。
【００４４】
（変形例２）
上述した実施の形態では、マイクロレンズ３４と上側光電変換部３２とが同一面（透明基板３１の上面）に配置されている例について説明した。しかしながら、必ずしもマイクロレンズ３４と上側光電変換部３２とが同一面に配置されていなくてもよく、多少ずれていてもよい。少なくとも、マイクロレンズ３４は、光の入射方向から見て、上側光電変換部３２の横に配置されていればよい。換言すれば、マイクロレンズ３４と上側光電変換部３２とは、光の入射方向から見て互いに重ならないように配置されていればよい。
【００４５】
（変形例３）
上述した実施の形態では、マイクロレンズ３４と下側光電変換部３５との間にはカラーフィルタが設けられていない例について説明した。しかしながら、マイクロレンズ３４と下側光電変換部３５との間にカラーフィルタを配置するようにしてもよい。例えば、１つのマイクロレンズ３４に対して、一つのカラーフィルタを設けるようにしてもよい。カラーフィルタの種類としては、例えばＲＧＢ３色であるとする。この場合、ボディ制御部１４は、焦点検出処理において、ＲＧＢ各色のデフォーカス量を算出する。これにより、ＲＧＢ各色の色収差を検出することができる。また、この場合、ボディ制御部１４は、第２の画像生成処理において、カラー画像データを生成することができる。また例えば、１つの下側光電変換部３５に対して、一つのカラーフィルタを設けるようにしてもよい。
【００４６】
（変形例４）
上述した実施の形態では、マイクロレンズ３４が凸レンズである例について説明したが、これに限らなくてよく、マイクロレンズ３４が凹レンズであってもよい。凹レンズのマイクロレンズ３４については、透明基板３１に対してエッチングを施すことにより形成することができるため、簡易に製造することができる。また、マイクロレンズ３４は、回折レンズであってもよい。
【００４７】
（変形例５）
デジタルカメラ１において、上記第２の画像生成処理を行わないように構成してもよい。この場合、下側光電変換部３５からの出力信号を用いて焦点検出処理を行うことができればよい。すなわち、複数の下側光電変換部３５において、交換レンズ２の射出瞳の異なる領域を透過した光束が、異なる下側光電変換部３５で受光されるようにすればよいので、各マイクロレンズ３４に対して、複数の下側光電変換部３５が必ずしも２次元マトリクス状に配置されていなくてもよい。例えば、各マイクロレンズ３４に対して複数の下側光電変換部３５が偏って配置されていてもよいし、各マイクロレンズ３４に対して１つの下側光電変換部３５のみを設け、この下側光電変換部３５の半分を遮光するようにしてもよい。
【００４８】
また、変形例５において、撮影画面の全範囲においてデフォーカス量を検出する必要がなく、必要な位置でのみデフォーカス量を検出すればよい場合には、その位置に対応する位置にのみマイクロレンズ３４を設けるようにしてもよい。
【００４９】
以上の説明はあくまで一例であり、上記の実施形態の構成に何ら限定されるものではない。また、上記実施形態に各変形例の構成を適宜組み合わせてもかまわない。
【符号の説明】
【００５０】
１…デジタルカメラ、２…交換レンズ、１２…撮像素子、１４…ボディ制御部、３１…透明基板、３２…上側光電変換部、３４…マイクロレンズ、３５…下側光電変換部
【図１】
2014215526.tif 000003
【図２】
2014215526.tif 000004
【図３】
2014215526.tif 000005
【図４】
2014215526.tif 000006
【図５】
2014215526.tif 000007
【図６】
2014215526.tif 000008